(57)【要約】【課題】エンジン及び／又は発電機を有する溶接機用のセキュリティ／盗難防止機能のためのシステムを提供すること。【解決手段】本考案は、ロックコンポーネントと作動装置との間の電子信号により溶接装置の機能が限定又は制限される溶接装置のためのセキュリティ機能のためのシステムに関する。作動装置は溶接装置と、ひいてはロックコンポーネントと「ペアリング」することができ、その際それらの間で電子信号がやりとりされる。ロックコンポーネント及び溶接装置によって電子信号が受信されたかどうかに基づいて、ロックコンポーネントは溶接装置の電源（例えば、モーター、発電機、エネルギー蓄積装置等）を停止させるか又は始動するのを防止するよう構成することができる。【選択図】図５
0003207167.tif 000002
【実用新案登録請求の範囲】
【請求項１】
溶接装置であって、
当該溶接装置と電気的にペアリングされた作動装置であって、当該溶接装置との電気的なペアリングは検出用信号とリンクキーとを含み、
前記検出用信号は当該溶接装置から該作動装置に送信され、該検出用信号に応えて、前記作動装置が前記作動装置を特定する識別信号を送信し、前記作動装置と当該溶接装置との間で認証コードが検証され、
前記リンクキーは前記認証コードの検証に応えて、当該溶接装置によって生成されて保存される、
作動装置と、
当該溶接装置又は当該溶接装置に電気的に連結された機器のための電源であるモーターを含むモーター駆動溶接機アセンブリと、
前記作動装置からリンクキーが受信されない限り、前記モーター又は前記機器が作動するのを防止するよう構成されたロックコンポーネントと、
を含み、
前記ロックコンポーネントは、前記作動装置からのリンクキーの受信が中断されると前記モーター又は前記機器を停止させるようさらに構成されている、溶接装置。
【請求項２】
前記溶接装置に関連するディスプレイを通じてデータを伝えるように構成されたユーザーインターフェイスをさらに含み、
前記ロックコンポーネントは、前記作動装置からのリンクキーの受信に基づいて前記ユーザーインターフェイスを作動させるようさらに構成されている、請求項１に記載の溶接装置。
【請求項３】
前記ロックコンポーネントは、前記溶接装置の診断アクセスのための要求を受信して診断データの一部を送信し、
前記ロックコンポーネントは、前記要求に応えて診断データの一部を送信する一方で、前記作動装置からのリンクキーの受信の欠如により前記モーター又は前記機器が作動するのを防止するように構成されている、請求項２に記載の溶接装置。
【請求項４】
前記溶接装置又は前記溶接装置に電気的に連結された機器のための追加の電源であるエネルギー蓄積装置と、
溶接パラメータに基づいて前記エネルギー蓄積装置と前記モーターとの間で選択を行うスイッチコンポーネントと、
をさらに含み、
前記ロックコンポーネントは、前記作動装置からリンクキーが受信されない限り、溶接作業を行うために前記エネルギー蓄積装置が電力を供給するのを防止するよう構成されている、請求項２に記載の溶接装置。
【請求項５】
前記モーターを電源として用いて溶接作業を行うのに使用される溶接パラメータを調整するよう構成されたコントローラをさらに含み、
前記ロックコンポーネントは、溶接作業が行われるのを防止するために前記コントローラの作動を防止するようさらに構成されている、請求項１に記載の溶接装置。
【請求項６】
前記溶接装置と電気的にペアリングされた追加の作動装置をさらに含み、前記溶接装置との電気的なペアリングは第２の検出用信号と追加のリンクキーとを含み、
該第２の検出用信号は前記溶接装置から該追加の作動装置に送信され、該第２の検出用信号に応えて、前記追加の作動装置が前記追加の作動装置を特定する第２の識別信号を送信し、前記追加の作動装置と前記溶接装置との間で第２の認証コードが検証され、
前記追加のリンクキーは、前記第２の認証コードの検証に応えて、前記溶接装置によって生成されて保存され、
前記ロックコンポーネントは、前記作動装置及び前記追加の作動装置から前記リンクキー又は前記追加のリンクキーが受信されない限り、前記モーター又は前記機器が作動するのを防止するようさらに構成され、
前記ロックコンポーネントは、ａ）前記作動装置からのリンクキーの受信又はｂ）前記追加の作動装置からの追加のリンクキーの受信のうちの１つが中断されると前記モーター又は前記機器を停止させるようさらに構成されている、請求項１に記載の溶接装置。
【請求項７】
前記ロックコンポーネントは、所定の期間の後に前記リンクキーを終了するようさらに構成されている、請求項１に記載の溶接装置。
【請求項８】
ユーザーのＩＤ及び該ＩＤのための溶接装置設定を保存するデータベースをさらに含み、
前記所定の期間はユーザーのＩＤに基づく、請求項７に記載の溶接装置。
【請求項９】
前記ロックコンポーネントは、無線信号を送信し、該無線信号に応えた信号を通じて１つ以上のリンクキーを用いることが可能な１つ以上の作動装置を検出するようさらに構成されている、請求項１に記載の溶接装置。
【請求項１０】
前記ロックコンポーネントは、１つ以上のリンクキーを削除すること、前記ロックコンポーネントをバイパスして前記作動装置なしで前記モーター又は前記機器を作動させること、１つ以上のリンクキーを生成すること又は前記ロックコンポーネントをバイパスして前記モーター又は前記機器を停止させることのうちの少なくとも１つを行うための命令であるリモート信号を受信するようさらに構成されている、請求項１に記載の溶接装置。
【請求項１１】
前記ロックコンポーネントは、
前記作動装置からのリンクキーを受信できる１つ以上の地理的領域が定義されること、
前記モーターの作動を可能にするために前記作動装置及び前記溶接装置が前記１つ以上の地理的領域内に物理的に位置すること、及び
前記作動装置又は前記溶接装置が前記１つ以上の地理的領域外にあることに基づいて前記モーターが停止されるか又は始動が防止されること、
を提供するようさらに構成されている、請求項１に記載の溶接装置。
【請求項１２】
溶接作業を行う溶接装置であって、
溶接作業のために電極とワークピースとの間にパドルを作るのに用いられる電力を供給するよう構成された電源と、
データを伝えること又は入力を受信することのうちの少なくとも１つを行うよう構成されたユーザーインターフェイスと、
前記電源又は前記ユーザーインターフェイスのうちの少なくとも１つを制御するために機械可読命令を伝えるよう構成されたコントローラであって、該コントローラは第１の電子信号を伝えるようさらに構成されている、コントローラと、
当該溶接装置への物理的接続又は当該溶接装置への無線接続を用いて、当該溶接装置に第２の電子信号を伝えるよう構成された作動装置と、
前記コントローラからの第１の電子信号及び前記作動装置からの第２の電子信号を検出するよう構成されたロックコンポーネントであって、該ロックコンポーネントは前記第１の電子信号又は前記第２の電子信号が検出されなかった場合に前記電源を停止させるようさらに構成されている、ロックコンポーネントと、
を含む溶接装置。
【請求項１３】
前記電源はエネルギー蓄積装置又はモーターのうちの少なくとも１つである、請求項１２に記載の溶接装置。
【請求項１４】
前記ロックコンポーネントは前記コントローラに命令を伝えて、前記第１の電子信号又は前記第２の電子信号が検出されなかった場合に、前記モーターへの燃料噴射を中止させること、燃料ポンプが前記モーターに燃料を供給するのを中止させること又は前記モーターのためのスターターを停止させることのうちの少なくとも１つを行わせるよう構成されている、請求項１３に記載の溶接装置。
【請求項１５】
前記コントローラは、前記第１の電子信号又は前記第２の電子信号が検出されないことに応えた前記ロックコンポーネントからの命令に基づいて、溶接作業を行うために前記エネルギー蓄積装置が電力を供給するのを中止させるようさらに構成されている、請求項１３に記載の溶接装置。
【請求項１６】
前記作動装置のための所定の期間に基づいて前記電源を停止させるよう構成された設定コンポーネントをさらに含む、請求項１２に記載の溶接装置。
【請求項１７】
前記設定コンポーネントは、前記第１の電子信号又は前記第２の電子信号が検出されず且つ前記ユーザーインターフェイスから所定のユーザーエントリが受信された場合に前記電源を再度作動させるようさらに構成されている、請求項１６に記載の溶接装置。
【請求項１８】
診断コンポーネントをさらに含み、該診断コンポーネントは、前記溶接装置に対する外部装置の接続性又は前記ユーザーインターフェイスからの診断エントリ入力の受信に基づいて前記外部装置に診断データを伝えるよう構成されている、請求項１２に記載の溶接装置。
【請求項１９】
エンジン駆動溶接装置であって、
当該エンジン駆動溶接装置が溶接作業を行うための又は当該エンジン駆動溶接装置に電気的に連結された機器のための電源であるモーターと、
前記溶接作業を制御するために機械可読命令を伝えるよう構成されたコントローラと、
当該エンジン駆動溶接装置が前記溶接作業を行うための追加の電源であるエネルギー蓄積装置と、
を含み、
前記モーター、前記エネルギー蓄積装置又は前記コントローラのうちの少なくとも１つは第１の電子信号を伝えるようさらに構成され、
当該エンジン駆動溶接装置はさらに、
前記溶接作業に影響を与える溶接パラメータに基づいて、前記エネルギー蓄積装置と前記モーターとの間で選択を行うスイッチコンポーネントと、
当該エンジン駆動溶接装置への物理的接続又は当該エンジン駆動溶接装置への無線接続を用いて当該エンジン駆動溶接装置に第２の電子信号を伝えるよう構成された作動装置と、
前記第１の電子信号及び前記作動装置からの第２の電子信号を検出するよう構成されたロックコンポーネントであって、該ロックコンポーネントは、前記第１の電子信号又は前記第２の電子信号が検出されなかった場合に前記モーター、前記エネルギー蓄積装置又は前記コントローラのうちの少なくとも１つを停止させるようさらに構成されている、ロックコンポーネント、
を含むエンジン駆動溶接装置。
【請求項２０】
前記作動装置のための所定の期間に基づいて前記電源又は前記追加の電源を停止させるよう構成された設定コンポーネンをさらに含み、
前記設定コンポーネントは、前記第１の電子信号又は前記第２の電子信号が検出されず且つ所定のユーザーエントリが受信された場合に前記電源又は前記追加の電源を再度作動させるようさらに構成されている、請求項１９に記載のエンジン駆動溶接装置。
【考案の詳細な説明】
【技術分野】
【０００１】
本明細書で説明する考案は、一般に、溶接装置にセキュリティ／盗難防止システムを提供するシステムに関する。
【背景技術】
【０００２】
電源の利用が容易でない場所で溶接を行うことが必要となることがしばしばある。そのため、溶接電源は、発電機が組み込まれたエンジン駆動溶接電源であり得る。発電機は、溶接機に加えて、その場所で必要となり得る他の電動工具に電力を供給し得る。様々な用途によって要求される溶接機及び電動工具のバージョンが異なるため、トレーラーは多種多様な溶接電源のうちの１つを運ぶように設計され得る。
【０００３】
エンジン及び／又は発電機を有する溶接機は貴重であることが多い。残念ながら、そのような価値の点から、溶接機器、切断機器及び発電機器に係る問題は盗難である。それらの機械は持ち運び可能であり、作業現場、例えばトラックに取り付けられたトレーラー上に置かれたままにされることが一般的である。そのため、これらの作業現場は盗難のターゲットとなる。窃盗犯はエンジン及び／又は発電機を溶接機から取り外し、それらを部品として売却するために溶接機を盗み得る。何故なら、それらの部品は溶接部品、制御装置等なしで用いることができるからである。溶接機を固定することによって盗難をある程度抑制できるものの、窃盗犯は防犯手段を克服する方法を見つけ出すことが多い。例えば、ある窃盗団は、エンジン及び発電機が有する高い価値から溶接機を販売する店の壁に穴を開けることまで行った。
【考案の概要】
【課題を解決するための手段】
【０００４】
本考案によれば、溶接装置を提供する。当該溶接装置は、当該溶接装置と電気的にペアリングされた作動装置（activation  device）を含む溶接装置を提供する。当該溶接装置との電気的なペアリングは、当該溶接装置から該作動装置に検出用信号が送信され、該検出用信号に応えて、前記作動装置が前記作動装置を特定する識別信号を送信し、前記作動装置と当該溶接装置との間で認証コードが検証されること、及び前記認証コードの検証に応えて、当該溶接装置によってリンクキーが生成され保存されることを含む。当該溶接装置は、当該溶接装置又は当該溶接装置に電気的に連結された機器のための電源であるモーターを含むモーター駆動溶接機アセンブリをさらに含む。当該溶接装置は前記作動装置からリンクキーが受信されない限り、前記モーター又は前記機器が作動するのを防止するよう構成されたロックコンポーネントを含み、前記ロックコンポーネントは、前記作動装置からのリンクキーの受信が中断されると前記モーター又は前記機器を停止させるようさらに構成されている。
【０００５】
本考案によれば、溶接作業を行う溶接装置が提供される。当該溶接装置は、溶接作業のために電極とワークピースとの間にパドルを作るのに用いられる電力を供給するよう構成された電源と、データを伝えること又は入力を受信することのうちの少なくとも１つを行うよう構成されたユーザーインターフェイスとを含む。当該溶接装置は、前記電源又は前記ユーザーインターフェイスのうちの少なくとも１つを制御するために機械可読命令を伝えるよう構成されたコントローラであって、該コントローラは第１の電子信号を伝えるようさらに構成されている、コントローラを含むことができる。当該溶接装置は、当該溶接装置への物理的接続又は当該溶接装置への無線接続を用いて、当該溶接装置に第２の電子信号を伝えるよう構成された作動装置をさらに含むことができる。当該溶接装置は、前記コントローラからの第１の電子信号及び前記作動装置からの第２の電子信号を検出するよう構成されたロックコンポーネントであって、該ロックコンポーネントは前記第１の電子信号又は前記第２の電子信号が検出されなかった場合に前記電源を停止させるようさらに構成されている、ロックコンポーネントを含むことができる。
【０００６】
本考案によれば、エンジン駆動溶接装置が提供される。当該溶接装置は、当該溶接装置が溶接作業を行うための又は当該溶接装置に電気的に連結された機器のための電源であるモーターと、前記溶接作業を制御するために機械可読命令を伝えるよう構成されたコントローラとを含む。当該溶接装置は、当該溶接装置が前記溶接作業を行うための追加の電源であるエネルギー蓄積装置を含み、前記モーター、前記エネルギー蓄積装置又は前記コントローラのうちの少なくとも１つは第１の電子信号を伝えるようさらに構成されている。当該溶接装置はさらに、前記溶接作業に影響を与える溶接パラメータに基づいて、前記エネルギー蓄積装置と前記モーターとの間で選択を行うスイッチコンポーネントと、当該溶接装置への物理的接続又は当該溶接装置への無線接続を用いて当該溶接装置に第２の電子信号を伝えるよう構成された作動装置とを含む。当該溶接装置はさらに前記第１の電子信号及び前記作動装置からの第２の電子信号を検出するよう構成されたロックコンポーネントであって、該ロックコンポーネントは、前記第１の電子信号又は前記第２の電子信号が検出されなかった場合に前記モーター、前記エネルギー蓄積装置又は前記コントローラのうちの少なくとも１つを停止させるようさらに構成されている、ロックコンポーネントを含む。
【０００７】
本考案のこれらの及び他の目的は、図面、詳細な説明及び添付の実用新案登録請求の範囲に照らして考えた場合に明らかになる。
【図面の簡単な説明】
【０００８】
本考案は、特定の部分及び部分の構成において物理的形態を取り得る。その好ましい実施形態を本明細書で詳述し、本願の一部を成す添付の図面に図示する。
【図１】図１は、電源としてモーターを含む溶接装置を示すブロック図である。
【図２】図２は、溶接装置を示すブロック図である。
【図３】図３は、移動のためにトレーラーに取り付けられた溶接装置を示すブロック図である。
【図４Ａ】図４Ａは、溶接装置を示すブロック図である。
【図４Ｂ】図４Ｂは、溶接装置を示すブロック図である。
【図５】図５は、防犯機能を用いるためのロックコンポーネントを含む溶接装置を示すブロック図である。
【図６】図６は、本考案に係る、ユーザーインターフェイスを有する溶接装置を示す図である。
【図７】図７は、溶接装置の動作の少なくとも一部の動作を防止するロックコンポーネントを含む溶接装置を示す図である。
【図８】図８は、作動装置から電子信号を検出し、該電子信号に応えて溶接装置の動作を判定するフローチャートである。
【考案を実施するための形態】
【０００９】
本考案の実施形態は、一般に、ロックコンポーネントと作動装置との間の電子信号によって溶接装置の機能を限定又は制限することができる溶接装置のためのセキュリティ機能に関するシステムに関する。作動装置は溶接装置と、ひいてはロックコンポーネントと「ペアリング」可能であり、その際に電子信号がそれらの間でやりとりされる。ロック装置は、ロックコンポーネント及び溶接装置によって電子信号が受信されたかどうかに基づいて溶接装置の電源（例えば、モーター、発電機、エネルギー蓄積装置等）を停止させるか又は作動するのを防止するように構成できる。溶接装置は、溶接装置のための電源の作動を制限するための追加の機能を提供するように構成された設定コンポーネントをさらに含み、該追加の機能としては、とりわけ地理的な位置、期間（duration  of  time）、溶接装置のためのユーザーインターフェイスを通じたユーザー入力が挙げられるが、それらに限定されない。別の実施形態では、溶接装置は、ロックコンポーネントと作動装置との間で電子信号が受信されていなくても溶接装置から装置に診断データの送信を可能にするように構成された診断コンポーネントをさらに含む。
【００１０】
一実施形態では、本考案は、エンジン、発電機、コントローラ及び作動装置を用いる発電機（例えば、溶接電力、プラズマ切断電力、５０Ｈｚ電力、６０Ｈｚ電力等を生成する装置）、溶接機又は切断機を含み得る。コントローラは、溶接出力又は切断出力を制御するための機能及び／又はコンポーネントを含むことができる。コントローラはエンジンを作動及び／又は停止させることができ、エンジンの制御としては、とりわけ燃料噴射、燃料ポンプの動作、始動、充電が挙げられる。本考案はさらに、溶接装置の動作中／作動中のエンジンを止めるか又は作動装置なしで溶接装置のエンジンが作動するのを防止するロックコンポーネントをさらに含む。別の実施形態では、溶接装置内でコントローラが検出されない場合、溶接装置のエンジンを作動させないか又は停止させる。そのような実施形態は、溶接装置が盗まれたり、溶接装置からエンジンが抜き取られたりした場合に溶接装置の機能を制限するためのセキュリティ手段である。そのため、溶接装置からエンジンが抜き取られた場合、コントローラが検出されない及び／又は作動キーが検出されないためエンジンが機能しない。
【００１１】
別の実施形態では、溶接装置でユーザーインターフェイスを用いることができる。ロックコンポーネントは、溶接装置のエンジンを作動させるか又は使用できるようにするために、ユーザーインターフェイスを通じたユーザー入力を検出することができる。例えば、ユーザーインターフェイスを用いて溶接装置のエンジンを始動させ、ユーザーインターフェイスを通じたエンジンを作動させる要求に基づき、ユーザーインターフェイスはユーザーに対してパスワード又はデータエントリの要求（例えば、音声命令、バイオメトリック入力、ユーザー名等）を表示することができる。さらに別の実施形態では、ロックコンポーネントはエンジンを作動させるもののデータエントリが受信させるまで溶接作業を行うことができないようにすることができる。さらに別の実施形態では、ロックコンポーネントは、溶接装置及び／又はエンジンの機能が受信されたデータエントリに基づいて係る期間に制限されるように各データエントリのための期間を含むことができる。
【００１２】
本考案は、溶接装置を解除する追加の作動装置を識別及び使用することをさらに含む。ロックコンポーネントは、そのような追加の装置を追加の作動装置として用いるために該装置とペアリングするために無線スキャンを通じて追加の装置を識別することができる。例えば、追加の装置としては、とりわけスマートフォン、セルラー電話、無線通信機能を有する装置、自動車用キーフォブ、ＵＳＢ接続を有する装置、ヘルメット、無線通信コンポーネントを有するウエラブルアイテムが挙げられるが、それらに限定されない。なお、作動装置は１つ以上の溶接機と併用できる。
【００１３】
別の実施形態では、ロックコンポーネントは、作動装置が存在する場合に、溶接装置及び／又はエンジンがそのまま動作できる所定の期間を有することができる。これにより、作業者が溶接装置から短時間離れることが多くても、溶接装置をそのまま操作することができる。
【００１４】
本考案の溶接装置は遠隔作動及び／又は停止をさらに含むことができる。さらに別の実施例では、作動装置はリモート信号からリセットすることができる。溶接装置が盗まれた場合、溶接装置が本来の所有者に返還されるまで動作を防止するように溶接装置のための作動装置を設定できる。
【００１５】
本明細書で用いる「溶接」（該用語の任意の他の成語要素を含む）とは、電気アークの操作を通じて溶融材料を堆積させることを意味し、限定されないが、ガスシールドフラックスコアード溶接（Ｇ−ＦＣＡＷ）、アブマージアーク、ＧＴＡＷ、ＧＭＡＥ、ＭＡＧ、ＭＩＧ、ＴＩＧ溶接又は溶接システムと併用される任意の電気アークを含む。さらに、溶接作業は、限定されないが亜鉛めっきコーティング等のコーティングを含むワークピースに対するものであり得る。
【００１６】
本明細書で用いる「ペアリング（paired）」という用語は、第１の装置（溶接装置、溶接機、切断装置等）と第２の装置（例えば、作動装置）との間でデータをやりとりするための、第１の装置と第２の装置との間でのセキュアな有線、無線及び／又は物理接続として定義できる。例えば、第１の装置は、第２の装置によって受信可能な検出用信号を伝えることができる。検出用信号に応えて、第２の装置は第１の装置に識別信号を伝えることができ、識別信号は、第１の装置によって受信される第２の装置に関する情報を含む。識別信号の受信に応えて、第１の装置又はユーザー入力は第２の装置を選択して認証コードの通信を確立できる。一実施形態では、認証コードを第２の装置で表示するか又は第２の装置のためのドキュメンテーションに含むことができ、検証のための認証コードのユーザー入力を第１の装置に入力することができる。別の実施形態では、認証コードを第１の装置に表示させ、検証のために第２の装置に入力することができる。さらに別の実施形態では、第１の装置のためのドキュメンテーションに認証コードを設けて、検証のために第２の装置に入力することができる。第１の装置と第２の装置との間で認証コードが検証されるのに基づいて、データの一部（例えば、リンクキー、キー等）を生成し、第１の装置と第２の装置との間の接続性のために参照するために保存できる。
【００１７】
本明細書で使用の「コンポーネント」という用語は、ハードウェアの一部、ソフトウェアの一部又はその組み合わせとして定義することができる。ハードウェアの一部としては、少なくともプロセッサ及びメモリの一部を含むことができ、該メモリは実行する命令を含む。
【００１８】
本考案は、エンジン駆動溶接機、エンジン駆動溶接システム、エンジン駆動溶接装置、エンジンを備えた溶接システム、電池を備えた溶接システム、エネルギー蓄積装置を備えた溶接システム、ハイブリッド溶接機（例えば、エンジン駆動電源及びエネルギー蓄積装置又は電池を含む溶接装置）又はその組み合わせのうちの任意の好適なものと併用できる。なお、溶接作業を行うことが可能な任意の好適なシステム、デバイス又は装置を本考案と併用でき、そのようなシステム、デバイス又は装置は、本考案の実施形態の意図する範囲から逸脱することなく妥当な工学的判断を用いて選ぶことができる。エンジン駆動溶接機は、コンセントからの電力を利用することができないか又は唯一の電源としてコンセントからの電力に依拠することができない様々な用途（ポータブル発電、バックアップ発電、加熱、プラズマ切断、溶接及びガウジングを含む）で用いることが可能な電源を含むことができる。本明細書で解説する実施例は、アーク溶接、プラズマ切断及びガウジング作業等の溶接作業に関する。なお、電源は電力を一部を生成することができ、電力の一部は電気出力である。なお、本明細書で用いる「電源」はモーター、エンジン、発電機、エネルギー蓄積装置、電池、電気出力を生成するコンポーネント、電気出力を変換するコンポーネント又はその組み合わせであり得る。なお、スイッチコンポーネントを、溶接作業を行うため電力を供給するのにエンジン（又は発電機）とエネルギー蓄積装置とを自動的に切り替えるように構成することができる。限定ではなく一例として、図１〜図４は、本考案で用いることが可能な溶接システム又は装置を示す。なお、下記の溶接システムは、例示を目的として説明するものにすぎず、本考案又はその変形例を用いることが可能な溶接システムを限定しない。
【００１９】
図１は溶接装置１００を示す。溶接装置１００は、溶接装置の内部コンポーネントが入った筐体１１２を含む。任意で、溶接装置１００は搭載用アイフック１１４及び／又はフォーク凹部（fork  recess）を含む。搭載用アイフック１１４及びフォーク凹部は溶接装置１００の持ち運びを容易にする。任意で、溶接型装置１００は装置の可動性のための手段として取っ手及び／又は車輪を含み得る。筐体１１２は複数のアクセスパネル１１８、１２０も含む。アクセスパネル１１８は筐体１１２の上部パネル１２２へのアクセスを提供する一方で、アクセスパネル１２０は筐体１１２のサイドパネル１２４へのアクセスを提供する。同様のアクセスパネルが反対側で利用可能である。これらのアクセスパネル１１８、１２０は、例えば溶接型電力を提供するのに適したエネルギー蓄積装置を含む溶接装置１００の内部コンポーネントへのアクセスを提供する。エンドパネルは、空気が筐体１１２を通過できるようにするルーバー式の開口を含む。
【００２０】
溶接型装置１００の筐体１１２は内燃エンジン又はモーターも収容する。エンジンの存在は、筐体１１２から突出した排気口１３０及び燃料ポート１３２からも明らかである。排気口１３０は筐体１１２の上部パネル１２２の上方に延び、溶接型装置１００から離れる方に排気を向ける。燃料ポート１３２は上部パネル１２２又はサイドパネル１２４を越えて延びていないことが好ましい。そのような構成によって、溶接型装置１００の搬送及び操作の間に燃料ポート１３２が破損するのが防止される。
【００２１】
ここで図２を参照して、本考案と併用可能な溶接装置２０５の斜視図を示す。溶接装置２０５は電源２１０を含む。電源２１０は、電源２１０の内部コンポーネントが入った筐体２１２を含む。以下でより詳細に説明するように、筐体２１２は制御コンポーネント２１３を取り囲む。任意で、溶接装置２０５は、ある場所から別の場所に溶接システムを搬送するための取っ手２１４を含む。溶接プロセスを達成にするために、溶接装置２０５はトーチ２１６に加えて接地クランプ２１８を含む。接地クランプ２１８は、溶接すべきワークピース２２０を接地するように構成されている。周知の通り、トーチ２１６がワークピース２２０に相対的に近接している場合、特定の溶接型装置に応じて溶接アーク又は切断アークが生成される。一対のケーブル２２２及び２２４によってトーチ２１６及び接地クランプ２１８がそれぞれ筐体２１２に接続される。
【００２２】
溶接アーク又は切断アークは、交換可能なエネルギー蓄積装置２２６から受け取った未処理の電力（raw  power）を電源が調整することによって生成される。好ましい実施形態では、エネルギー蓄積装置２２６は電池である。エネルギー蓄積装置２２６は同様に構成された電池と交換可能である。具体的には、エネルギー蓄積装置２２６は筐体２２８に収容されている。筐体２２８は溶接装置２０５の筐体に固定可能であり、それにより溶接型装置２０５が形成される。具体的には、エネルギー蓄積装置２２６は締結手段２３０により電源２１０に固定されている。締結手段２３０には、エネルギー蓄積装置２２６を電源２１０に対して繰り返し着脱できるようにするクリップ、固定タブ又は他の手段が含まれ得ると考えられる。
【００２３】
図３は、トレーラー連結部（hitch）又は連結装置（hitching  device）（一般に参照符号３０１で示す）を含むトレーラー３００を示す。トレーラー３００は、トレーラーフレーム３０２と、トレーラーフレーム３０２に回転連結された１つ以上のトレーラー車輪３０４とを含み、１つの以上の荷物（一例として溶接電源３０９又はエンジン駆動溶接電源３０９）を運ぶための積載領域３０６をさらに含み得る。トレーラー３００は、トレーラー３００の先端３１２の高さを調整するための調整可能スタンド３１０も含み得る。しかしながら、任意の手段を用いてトレーラー３００の先端３１２の高さを上げる及び／又は下げるようにしてもよい。トレーラー連結部３０１は、概して長く且つ実質的に剛性のトレーラー連結部３０１であり、締結具３１４（ネジボルトであり得る）によりフレーム３０２に取り付けられ得る。
【００２４】
図４Ａ及び図４Ｂはハイブリッド溶接装置（ここでは「ハイブリッド溶接機」と呼ぶ）を示す。図中、本考案に係るハイブリッド溶接機を概して参照符号４００で示す。ハイブリッド溶接機４００は、燃料貯蔵部４１０からの燃料で動作して、ハイブリッド溶接機４００の持ち運びを可能にするエンジンコンポーネントを含む。なお、ハイブリッド溶接機４００は用途に応じて常設の位置に設置される場合もある。ハイブリッド溶接機４００は一般に、モーター４２５及びエネルギー蓄積装置４３０を有するモーター駆動溶接機アセンブリ４２０を含む。モーター４２５は、限定されないがガソリン、軽油、エタノール、天然ガス、水素等を含む任意の既知の燃料で動作する内燃エンジンであり得る。他のモーター又は燃料も用いられ得るため、これらの例に限定されない。
【００２５】
例えば、モーター４２５又はエンジンは電圧を生成し、係る電圧をエネルギー蓄積装置４３０に蓄えることができる。スイッチコンポーネントは、溶接装置によって行われる溶接作業のための電源としてモーター４２５とエネルギー蓄積装置４３０との間で自動的に選択することができる。一実施形態では、スイッチコンポーネントは、溶接パラメータに基づいてモーター４２５とエネルギー蓄積装置４３０との間で選択することができる。
【００２６】
例えば、溶接パラメータとしては、限定されないが、溶接作業の電圧、溶接作業の電流、溶接作業で用いられる波形の一部、溶接プロセス、ワイヤの種類、ワイヤのサイズ、ワイヤ送給速度（ＷＦＳ）、電圧、溶接作業を行うのに用いられる電流波形若しくは電圧波形、溶接を行うのに用いられる電流波形若しくは電圧波形の位置、溶接作業が行われるワークピースの組成、センサのデータ（例えば、とりわけビデオカメラ、画像キャプチャ、赤外線画像装置、熱感知カメラ、温度センサ）、モーターが利用可能な燃料の量、エネルギー蓄積装置の充電量、溶接作業のコントローラからの信号、溶接装置に関連するコントローラからの信号、ユーザーＩＤ、溶接装置を使用しているユーザーが挙げられる。
【００２７】
モーター４２５及びエネルギー蓄積装置４３０は、ハイブリッド溶接機４００によって行われる溶接作業及び任意の補助的作業のために電力を提供するために個別に又は協働で（in  tandem）動作し得る。例えば、個別の動作としては、モーター４２５を動作させて、モーター４２５からの電力を必要に応じてエネルギー蓄積装置４３０からの電力で補うことを含む。あるいは、モーター４２５がオフラインの場合にエネルギー蓄積装置４３０からの電力を単独で供給する。協働動作としては、所望の電源出力を得るためにモーター４２５及びエネルギー蓄積装置４３０からの電力を組み合わせることを含み得る。本考案の一態様によれば、溶接機４００は通常必要な出力よりも出力が小さいモーターを備え、エネルギー蓄積装置４３０を用いて電源出力を補って、所望の電源出力レベルに電源出力を高める。一実施形態では、出力が１９ｋＷ（２５ｈｐ）未満のモーターが選択され、６つの１２ボルト電池によって補われる。モーター出力の他の組み合わせを用いてもよく、前記のものより大きいか又は小さい、エネルギー蓄積装置からの電力で補われる。従って、上記の例に限定されない。
【００２８】
エネルギー蓄積装置４３０は、２次発電機（secondary  generator）、運動エネルギー回収システム又は図示のように１つ以上の電池４３１を含む任意の代替的な電源であり得る。一実施形態では、６つの１２ボルト電池４３１が有線で直列に連結され、モーター駆動溶接機アセンブリ４２０に関連して電力を提供する。図示の電池４３１は鉛酸電池である。限定されないが、ＮｉＣｄ、溶融塩、ＮｉＺｎ、ＮｉＭＨ、Ｌｉ-ｉｏｎ、ゲル、ドライセル、吸収ガラスマット等を含む他の種類の電池を使用してもよい。
【００２９】
本考案の出願時に出願人が知っていた本考案を実施するための最良の形態を例示する目的で該最良の形態を説明する。実施例及び図面は例示にすぎず、本考案を限定することを意図していない。本考案は、請求項の範囲及び精神によって評価される。ここで図面（図示のものは本考案の例示の実施形態を説明する目的のためのものにすぎず、本考案を限定することを目的としたものではない）を参照して、図５〜図７は溶接装置、具体的には図１〜図４で解説したエンジン駆動溶接装置の概略ブロック図を示す。図８は、図１〜図４で解説した１つ以上の溶接装置で実施可能な方法を示す。
【００３０】
図５を参照して、溶接装置５００を示す。溶接装置５００は、作動装置５０６からの電子信号（例えばリンクキーともいう）の受信に基づいて、コントローラ５０８又は電源５０４のうちの少なくとも１つを停止及び／又は作動させるように構成されたロックコンポーネント５０２を含むことができる。ロックコンポーネント５０２は、溶接装置５００の動作若しくは動作の一部又は機能を少なくとも制限するために、溶接装置５００に対してセキュリティ技術及び機能を用いる。作動装置５０６は溶接装置とペアリングすることができ、作動装置５０６は、溶接装置５００、ひいてはロックコンポーネント５０２と通信を行う。ロックコンポーネント５０２と作動装置５０６との間の通信は、承認された動作又は非承認の動作が起きているか又は起きたかを判断できる。即ち、一実施形態では、作動装置５０６は、溶接装置５００に完全な機能及び／又は機能の動作を持たせるために、溶接装置５００と、具体的にはロックコンポーネント５０２と通信を行う。
【００３１】
一実施形態では、ロックコンポーネント５０２は、１つ以上の電子信号を受信するように構成することができ、該１つ以上の電子信号の受信又は非受信に基づいて、溶接装置５００を制御することができる。具体的には、溶接装置５００の停止は作動装置５０６からの電子信号が受信されたかどうかに基づき得る。例えば、電子信号が受信された場合、ロックコンポーネント５０２は溶接装置５００と通信を行い、溶接装置５００を作動させるか又は既に作動している場合には溶接装置５００の動作を継続させる。別の実施例では、ロックコンポーネント５０２は、電子信号がロックコンポーネント５０２によって受信されていないか又は検出されない場合に溶接装置５００の動作を防止又は中止することができる。
【００３２】
そのような動作を中止又は防止することの例では、ロックコンポーネント５０２は、溶接装置５００の動作を防止又は中止するために、コントローラ５０８、電源５０４又は溶接装置５００のコンポーネントのうちの少なくとも１つに命令を伝えることができる。限定ではなく一例として、作動装置５０６によって電子信号が受信されておらず且つ電源５０４がモーターを含む場合、ロックコンポーネント５０２は、溶接装置のモーターへの燃料噴射を中止すること、燃料ポンプからモーターに燃料を供給するのを中止すること、モーターのためのスターター、エンジン若しくはモーターへのチョーク、モーター若しくはエンジンへのキルスイッチを停止すること又はモーターから出力される電圧又は電流の量を制限することを提供できる。限定ではなく一例として、作動装置５０６によって電子信号が受信されておらず且つ電源５０４がエネルギー蓄積装置を含む場合、ロックコンポーネント５０２は、エネルギー蓄積装置から電力を供給するのを停止させること、エネルギー蓄積装置の充電を防止すること又はエネルギー蓄積装置から出力される電圧又は電流の量を制限することを提供できる。
【００３３】
さらに別の実施形態では、ロックコンポーネント５０２は、コントローラ５０８から第１の電子信号を受信し、作動装置５０６から第２の電子信号（例えば、リンクキーともいう）を受信するように構成することができる。ロックコンポーネント５０２は、第１の電子信号及び／又は第２の電子信号に基づいて動作機能及び／又は特徴を調整できる。そのような、第１の電子信号及び／又は第２の電子信号の受信に基づく溶接装置５００の機能の調整は、溶接装置のための従来のセキュリティ技術に勝る向上したセキュリティを提供する。少なくとも１つの実施例では、従来のセキュリティ技術は、電源が溶接装置から何時引き離されたかを考慮していない。本考案では、コントローラ５０８からの第１の電子信号がなければ、ロックコンポーネント５０２は、コントローラ５０８から電源５０４（例えば、モーター、エンジン等）が引き離された場合に、電源５０４の動作が防止されるよう電源の使用を停止及び／又は防止できる。
【００３４】
ロックコンポーネント５０２は、少なくとも１つの電子信号（例えば、作動装置５０６からの信号、コントローラ５０８からの信号、作動装置５０６及びコントローラ５０８からの信号及び／又はその組み合せ）の受信に基づいて溶接装置５００の機能的特徴を調整できる。限定ではなく一例として、調整可能な機能的特徴としては、とりわけモーター若しくはエンジンを停止させること、エンジン又はモーターの始動を防止すること、電力供給を中止すること、電力供給を防止すること、電力出力を制限すること、電力の提供先又は届け先のコンポーネントを制限すること、溶接作業を行うこと、ある種の溶接作業を行うこと、ユーザーインターフェイスを作動又は停止すること、溶接装置のユーザーカスタム設定、溶接装置５００の電源オン又はオフ、溶接装置５００のコンポーネントの電源オン又はオフ、（上記で定義した）溶接パラメータ、溶接装置５００のデータ出力、ユーザーインターフェイスのデータ出力、溶接装置５００へのデータ入力、ユーザーインターフェイスへのデータ入力が挙げられるが、それらに限定されない。
【００３５】
さらに別の実施形態では、作動装置５０６は溶接装置５００と、とりわけロックコンポーネント５０２とペアリングできる。上述したように、作動装置５０６と溶接装置５００とのペアリングは、作動装置５０６が、作動装置の情報を提供する識別信号で応じる範囲内にある作動装置５０６及び／又は他の装置に検出用信号を伝えることを含み得る。検出用信号に反応した発見された装置の選択が行われ、溶接装置５００と作動装置５０６との間で認証コードが検証される。検証の際に、作動装置５０６と溶接装置とがペアであることを検証するためにリンクキーが生成及び保存される。このリンクキー（例えば電子信号及び／又は第２の電子信号ともいう）は、溶接装置５００、作動装置５０６又はクラウドプラットフォーム上のうちの少なくとも１つにあるコンピュータ可読記憶媒体に保存することができる。さらに、溶接装置のための１つ以上の作動装置又は複数の溶接装置のために１つ以上のリンクキーを生成及び保存することができる。
【００３６】
作動装置５０６は、ロックコンポーネント５０２と通信可能な装置であり得る。一実施形態では、作動装置５０６はロックコンポーネント５０２及び／又は溶接装置５００の一部に取り外し可能に連結でき、作動装置５０６の存在がロックコンポーネント５０２によって検出される。例えば、作動装置５０６は、溶接装置５００上にあるか、溶接装置５００内にあるか又は溶接装置５００に近接する物理位置内にいることによって回路を完成することができ、ロックコンポーネント５０２は回路の完成を検出する。本実施例における回路の完成は、溶接装置５００の承認された使用を示すことができる。別の実施例では、作動装置５０６は、作動装置５０６から送られた電子信号がロックコンポーネント５０２によって検出されるように溶接装置５００に無線信号を伝えることができる。本実施例におけるロックコンポーネント５０２は、作動装置５０６から電子信号が受信されたかどうかを検出でき、受信又は非受信に基づいて、溶接装置５００又は溶接装置５００のコンポーネントによって行われる動作又は動作の一部を停止、作動、中止、制限及び／又は防止できる。
【００３７】
一実施形態では、作動装置５０６は無線信号を伝えることができるか又は溶接装置５００及び／又はロックコンポーネント５０２と共に回路を完成することができるコンポーネントであり得る。限定ではなく一例として、作動装置５０６としては、セキュリティバッジ（security  badge）、フォブ、キーフォブ、スマートフォン、セルラー電話、タブレット、物理キー、ポータブルゲーム機、ウエラブル装置、ＷＩ−ＦＩ装置、インターネット上で又はインターネットからのデータをやりとりできる装置、スマートウォッチ、電子機器を有する宝飾品、オーディオ又はビデオ再生装置等が挙げられるが、それらに限定されない。他の実施形態では、作動装置５０６は、とりわけ衣料品（例えば、とりわけシャツ、帽子、ズボン、手袋）、溶接装置のコンポーネント（例えば、とりわけトーチ、ケーブル、ユーザーインターフェイス、消耗電極保管庫）、安全装置（例えば、とりわけヘルメット、手袋、ブーツ、エプロン、眼鏡）、装着可能な物品（例えば、指輪、時計、眼鏡、ベルト、靴、ネックレス、ブレスレット等）及び電子装置に含まれるか、関連するか、一体化されているか及び／又は組み込まれることができる。
【００３８】
なお、作動装置５０６の電子信号機能の通信は、主たる電子機能を有する追加の装置を用いてインポートされるか又は含まれ得る。例えば、スマートフォンは、ロックコンポーネント５０２と通信を行うための作動装置５０６の電子機能を含むことが可能な追加の装置であり得る（例えば、スマートフォンの主たる電子機能は無線通話のためのものである）。別の実施例では、自動車又は家用のキーフォブを、溶接装置５００及び／又はロックコンポーネント５０２とペアリングした後で作動装置５０６として用いることができる。さらに別の実施例では、作動装置５０６は１つ以上の溶接装置及び／又はロックコンポーネントのそれぞれとやりとりを行うために１つ以上の電子信号を含み得る。即ち、作動装置５０６は、２つ以上の溶接装置とペアリングでき、コントローラ５０８又は電源５０４を作動させるために作動装置（又は作動装置からの信号）が検出される。
【００３９】
図６は溶接装置６００を示す。溶接装置６００は、溶接装置６００の動作のセキュリティのためのロックコンポーネント５０２を含む。なお、溶接装置５００について解説した態様は溶接装置６００でも実施できる（逆もまた同様）。溶接装置６００は、コントローラ５０８、電源５０４（例えばエンジン、モーター等）、エネルギー蓄積装置４３０、ユーザーインターフェイス５１２又は外部装置５１４のうちの少なくとも１つの機能を調整するように構成されたロックコンポーネント５０２を含み得る。外部装置５１４としては、とりわけ発電機、動力取出装置（ＰＴＯ）、シャフト、外部電源、ツール、電力を供給するコンセントが挙げられるが、それらに限定されない。ロックコンポーネント５０２は、コントローラ５０８からの第１の電子信号及び／又は作動装置からの第２の電子信号の受信に基づいて外部装置５１４を防止又は制限できる。
【００４０】
ユーザーインターフェイス５１２は溶接装置６００からデータを受信し及び／又は溶接装置６００にデータを伝えるように構成することができる。特定の実施例では、ユーザーインターフェイス５１２はユーザーにデータを表示し、ユーザーからユーザー入力を受信することができる。第１の電子信号又は第２の電子信号（例えばリンクキー）の検出に基づいて、ロックコンポーネント５０２は、ユーザーインターフェイス５１２からのデータの出力、ユーザーインターフェイス５１２から受信した入力、溶接装置６００から受信したか又は伝えられたデータ又はその組み合わせのうちの少なくとも１つを制御するように構成できる。
【００４１】
一実施例では、信号（例えば第１の電子信号、第２の電子信号、リンクキー又はその組み合わせ）の受信又は非受信に基づいて、ロックコンポーネント５０２によりユーザーインターフェイス５１２の機能を制限できる。例えば、ユーザーインターフェイス５１２に表示されるデータがロックコンポーネント５０２によって制限されるか又は防止されるようにできる。別の実施例では、受信したデータ又はユーザーから入力されたデータが、信号の検出に基づきロックコンポーネント５０２によって制限されるか又は防止されるようにできる。
【００４２】
例えば、作動装置が検出されていない溶接装置６００の起動は、作動装置５０６を設置／作成／登録するか又は溶接装置６００の機能にアクセスするため、パスワード（例えば、数字、文字、シンボル、バイオメトリックデータ、その組み合わせ）を求める画面をユーザーインターフェイス５１２に表示させるようにできる。別の実施形態では、溶接装置６００に支払い機能を設けることができ、金銭の支払いが認証された場合に、作動装置５０６の登録を可能にするか又は溶接装置６００の機能へのアクセスを可能にする。ロックコンポーネント５０２は支払いを受領及び／又は認証し、ユーザーインターフェイス５１２とユーザーとのやりとりに基づきリンクキーを通じてアクセスを生成する。
【００４３】
別の実施例では、ロックコンポーネント５０２はユーザーインターフェイス５１２に命令を伝え、溶接装置６００のために作動装置を登録する、取り外す及び／又は編集するためにユーザーとやりとりするためのシーケンスを提供することができる。
【００４４】
一実施例では、ロックコンポーネント５０２は、受信した電子信号のシーケンス及び／又は受信した電子信号の量に基づいて溶接装置６００で利用可能な機能を増やすことができる。例えば、ロックコンポーネント５０２は、第２の電子信号の前に第１の電子信号を受信した場合は溶接装置６００のための第１の機能セットが許可又は防止されること、第１の電子信号の前に第２の電子信号を受信した場合は溶接装置６００のための第２の機能セットが許可又は防止されること、第１の電子信号及び第２の電子信号の双方を受信した場合は溶接装置６００のための第３の機能セットが許可又は防止されること、第１の電子信号又は第２の電子信号のうちの一方を受信した場合は溶接装置６００のための第４の機能セットが許可又は防止されること又はその組み合わせのうちの少なくとも１つを提供するように構成することができる。
【００４５】
図７は、ロックコンポーネント５０２のためのカスタム化可能なセキュリティ機能を含む。なお、溶接装置５００及び溶接装置６００について解説した機能は溶接装置７００でも用いることができる（その逆も同様）（例えば、溶接装置７００の機能を溶接装置６００及び／又は溶接装置５００で用いることができる）。ロックコンポーネント５０２は設定コンポーネント７０２を含むことができる。設定コンポーネント７０２は、命令を受信し及び／又は溶接装置７００（又は溶接装置７００のコンポーネント）の作動、防止及び/又は停止に関するロックコンポーネント５０２のための所定の構成を用いるよう構成することができる。
【００４６】
設定コンポーネント７０２は、リンクキー又は作動装置５０６が登録される（例えば、溶接装置７００の機能にアクセスするために承認及び／又は検証される）期間構成を実施できる。一例として、リンクキー及び／又は作動装置５０６は、溶接装置７００の動作又は動作の一部の作動をロックコンポーネント５０２が承認する期間を含むことができる。該期間は、とりわけ所定のもの、ユーザーに基づいて定義されたもの、溶接装置にアクセスするユーザーＩＤに基づいて定義されたものであり得る。別の実施形態では、該期間は、溶接装置７００の使用のための支払い（例えば、レンタル、リース、レントツーオウン、ローンの支払い等）としての合計金額に依存してもよい。
【００４７】
別の実施形態では、設定コンポーネント７０２は、作動装置と溶接装置との間の物理的距離を定義することができ、溶接装置は該物理的距離内にある場合に動作することができる。例えば、ロックコンポーネント５０２と作動装置との間でリンクキー又は第２の電子信号を伝達及び／又は受信することができる最大距離を定義でき、ロックコンポーネント５０２を用いて溶接装置７００の作動が提供される（例えば最大距離よりも小さい）所定の距離を定義できる。別の実施形態では、設定コンポーネント７０２はバッファ時間を含むことができる。バッファ時間は、溶接装置７００と作動装置５０６とが所定の距離外にあってもロックコンポーネント５０２に溶接装置７００を停止させない期間（例えば、バッファ時間という）を提供する。なお、作動装置５０６と溶接装置７００との間の距離は、伝達されたリンクキー及び／又は第２の電子信号の信号強度に基づいて決定できる。
【００４８】
例えば、最大距離は１０フィートであり、所定の距離は５フィートであり、バッファ時間は１分であり得る。その場合、作動装置５０６からの電子信号（例えばリンクキー）の検出は、ロックコンポーネント５０２に溶接装置７００の機能の少なくとも一部にアクセスできるようにさせる。この実施例では、ロックコンポーネント５０２は、距離が５フィート未満の場合に溶接装置７００又は溶接装置７００の機能を作動させること、作動装置５０６が溶接装置７００から１０フィートを越えて離れている場合に溶接装置７００又は溶接装置７００の機能を停止させること、作動装置５０６が１分間を越えて溶接装置７００から８フィート離れている場合に溶接装置７００又は溶接装置７００の機能を停止させること及び／又は作動装置５０６と溶接装置７００とが互いに８フィート離れているが、お互いの間の距離が１分以内に５フィート未満に戻った場合は溶接装置７００又は溶接装置７００の機能を作動させることを提供できる。
【００４９】
設定コンポーネント７０２は、コントローラ５０８、ロックコンポーネント５０２、ユーザーインターフェイス５１２及び／又は電源５０４のうちの少なくとも１つを制御するために１つ以上の命令を遠隔受信するようさらに構成できる。遠隔命令は有線通信又は無線通信を通じて溶接装置外のソースから受信することができる。例えば、該命令は、溶接装置又は溶接装置の機能を作動させること、作動装置のための期間を設定すること、リンクキーを生成すること、溶接装置又は溶接装置の機能を作動させるパスワードを生成すること、ロックコンポーネント５０２を通じて溶接装置を停止させること、溶接装置が作動するのを防止すること、ユーザーインターフェイス５１２上にデータ（例えば、パスワード、作動装置のために残っている期間、溶接装置の地理的位置、等）を表示すること、警告音を作動させること、リンクキー若しくは作動装置をリセットするか若しくは停止させること又はその組み合わせのうちの少なくとも１つに関するものであり得る。
【００５０】
ロックコンポーネント５０２は、ユーザーインターフェイス５１２及び／又は溶接装置７００と通信中の診断装置に診断データの一部を伝えるように構成された診断コンポーネント７０４をさらに含むことができる。具体的には、ロックコンポーネント５０２は、溶接装置７００のエラー又は誤りを解決する際に用いられる診断データをもたらすことが可能な診断評価を生成するために、溶接装置７００の診断機能を作動させるよう構成することができる。例えば、ロックコンポーネント５０２は、作動装置５０６及び／又はコントローラ５０８からの１つ以上の電子信号の受信に基づいて診断機能を作動させるよう構成できる。溶接装置７００は１つ以上の診断機能を含むことができ、リンクキー又は電子信号の受信又は非受信は、診断コンポーネント７０４が診断手順を実行する及び／又は診断データを届けるよう構成できるかどうかを判定することができる。別の実施形態では、溶接装置７００の特定の診断機能を作動又は停止させるために、電子信号（例えば、第１の電子信号、第２の電子信号、リンクキー等）を受信した順番及び／又は受信した電子信号の数をロックコンポーネント５０２又は診断コンポーネント７０４に評価させることができる。例えば、診断機能は、とりわけユーザーインターフェイス５１２、コントローラ５０８、電源５０４、溶接装置７００の機能、電力出力、電圧出力、波形、メモリーテストのうちの少なくとも１つのトラブルシューティングに関するものであり得る。
【００５１】
一実施形態では、溶接装置は、溶接装置に関連するディスプレイを通じてデータを伝えるように構成されたユーザーインターフェイスを含むことができ、ロックコンポーネントは、作動装置からのリンクキーの受信に基づいてユーザーインターフェイスを作動させるようさらに構成されている。
【００５２】
一実施形態では、溶接装置は、溶接装置の診断アクセスのための要求を受信して、診断データの一部を送るロックコンポーネントを含むことができ、ロックコンポーネントは、要求に応えて診断データの一部を送る一方で、作動装置からのリンクキーの受信の欠如によりモーター又は機器が作動するのを防止するように構成されている。
【００５３】
一実施形態では、溶接装置は、溶接装置又は溶接装置に電気的に連結された機器のための追加の電源であるエネルギー蓄積装置、溶接パラメータに基づいてエネルギー蓄積装置とモーターとの間で選択を行うスイッチコンポーネント及び作動装置からリンクキーが受信されていない限り、溶接作業を行うための電力をエネルギー蓄積装置が供給するのを防止するように構成されたロックコンポーネントのうちの１つを含むことができる。
【００５４】
一実施形態では、溶接装置は、電源としてモーターを使用して溶接作業を行うのに用いられる溶接パラメータを調整するように構成されたコントローラを含むことができる。ロックコンポーネントは、溶接作業が行われるのを防止するためにコントローラの作動を防止するようさらに構成されている。
【００５５】
一実施形態では、溶接装置は、溶接装置と電気的にペアリングされた追加の作動装置を含むことができ、該追加の作動装置は、溶接装置から追加の作動装置に送信される第２の検出用信号を含み、作動装置は、第２の検出用信号に応えて追加の作動装置を識別する第２の識別信号を送信する。追加の作動装置と溶接装置との間で第２の認証コードが検証され、第２の認証コードの検証に応えて溶接装置によって追加のリンクキーが生成及び保存される。本実施形態では、作動装置及び追加の作動装置からリンクキー又は追加のリンクキーが受信されない限り、ロックコンポーネントはモーター又は機器が作動するのを防止するようさらに構成され、ロックコンポーネントは、ａ）作動装置からのリンクキーの受信又はｂ）追加の作動装置からの追加のリンクキーの受信のうちの一方が中断されるとモーター又は機器を停止させるようさらに構成されている。
【００５６】
一実施形態では、ロックコンポーネントは、所定の期間の後にリンクキーを終了させるようさらに構成されている。一実施形態では、溶接装置は、ユーザーのＩＤ及び該ＩＤのための溶接装置設定を保存するデータベースを含むことができ、所定の期間はユーザーのＩＤに基づく。一実施形態では、ロックコンポーネントは、無線信号を送信し、該無線信号に応えて信号を通じで１つ以上のリンクキーを用いることが可能な１つ以上の作動装置を検出するようさらに構成されている。
【００５７】
一実施形態では、ロックコンポーネントは、リンクキー生成器によって生成された１つ以上のリンクキーを削除すること、ロックコンポーネントをバイパスして作動キーなしでモーター又は機器を作動させること、１つ以上のリンクキーを生成すること又はロックコンポーネントをバイパスしてモーター又は機器を停止させることのうちの少なくとも１つを行うための命令であるリモート信号を受信するようさらに構成されている。
【００５８】
一実施形態では、ロックコンポーネントは、作動装置からのリンクキーを受信できる１つ以上の地理的領域を定義するようさらに構成されている。作動装置及び溶接装置は、モーターを作動させることができるように１つ以上の地理的領域内に物理的に位置しており、モーターは、作動装置又は溶接装置が１つ以上の地理的領域外にあることに基づいて停止されるか又は始動が防止されている。
【００５９】
一実施形態では、電源はエネルギー蓄積装置又はモーターのうちの少なくとも１つである。一実施形態では、ロックコンポーネントはコントローラと通信を行い、第１の電子信号又は第２の電子信号が検出されない場合に、モーターへの燃料注入を停止すること、燃料ポンプがモーターに燃料を供給するのを中止させること又はモーターのためのスターターを停止させることのうちの少なくとも１つを行わせるよう構成されている。
【００６０】
一実施形態では、コントローラは、第１の電子信号又は第２の電子信号が検出されないことに応えたロックコンポーネントからの命令に基づいて、溶接作業を行うためにエネルギー蓄積装置が電力を供給するのを中止させるようさらに構成されている。
【００６１】
一実施形態では、溶接装置は、作動装置のための所定の期間に基づいて電源を停止させるよう構成された設定コンポーネントを含むことができる。本実施形態では、設定コンポーネントは、第１の電子信号又は第２の電子信号が検出されず且つユーザーインターフェイスから所定のユーザーエントリが受信された場合に電源を再度作動させるようさらに構成されている。本実施形態では、設定コンポーネントは、作動装置のための所定の期間に基づいて電源又は追加の電源を停止させるようさらに構成され、設定コンポーネントは、第１の電子信号又は第２の電子信号が検出されず且つ所定のユーザーエントリが受信された場合に電源又は追加の電源を再度作動させるようさらに構成されている。
【００６２】
一実施形態では、溶接装置は、溶接装置に対する外部装置の接続性又はユーザーインターフェイスからの診断エントリ入力の受信に基づいて、外部装置に診断データを伝えるよう構成された診断コンポーネントを含むことができる。
【００６３】
上述した例示の装置及び要素に鑑み、開示した主題に従って実施され得る方法は図８のフローチャート及び／又は方法を参照することで一層理解できる。係る方法及び／又はフローチャートを一連のブロックとして図示説明するが、本考案はブロックの順番に限定されない。何故なら、一部のブロックは、本明細書で図示説明するものとは異なる順番で及び／又は他のブロックと同時に起こり得るからである。さらに、以下で説明する方法及び／又はフローチャートを実施するのに図示のブロックの全てが必要でない場合がある。
【００６４】
図８の決定木フローチャート８００に図示するように以下のことが連続して起こる。図８は、電子信号の受信又は作動装置との接続に基づいて溶接装置を制御するフローチャート８００である。作動装置を溶接装置とペアリングすることができる（参照ブロック８１０）。作動装置と溶接装置との間の接続を検出することができる（参照ブロック８２０）。溶接装置は、接続の中止に基づいて停止させることができる（参照ブロック８３０）。
【００６５】
本明細書で解説した実施形態は上述したシステム及び方法に関するものであったが、これらの実施形態は例示にすぎず、これらの実施形態の適用可能性を本明細書に明記した解説のみに限定することを意図してない。本明細書で解説した制御システム及び方法は、上述した本考案の精神又は範囲から逸脱することなく、アーク溶接、レーザー溶接、ろう付け、はんだ付け、プラズマ切断、ウォータージェット切断、レーザー切断及び同様の制御法を用いる任意の他のシステム又は方法にも同様にも適用可能であるとともにそれらで用いることができる。当業者であれば、本明細書の実施形態及び解説をこれらのシステム及び方法のうちのいずれかに容易に組み込むことができる。限定ではなく一例として、本明細書で使用の電源（例えば、とりわけ溶接電源）は、とりわけ溶接、アーク溶接、レーザー溶接、ろう付け、はんだ付け、プラズマ切断、ウォータージェット切断、レーザー切断を行う装置のための電源であり得る。そのため、妥当な工学的判断により、本考案の実施形態の意図する範囲から逸脱して溶接電源以外の電源を選択できる。
【００６６】
上記の実施例は、本考案の様々な態様のうちの可能性のある実施形態のいくつかを説明するためのものに過ぎず、当業者であれば本明細書及び添付の図面を読み、理解した際に同等の変更及び／又は修正を思い付く。特に、上述のコンポーネント（アセンブリ、装置、システム、回路等）によって行われる様々な機能に関して、そのようなコンポーネントを説明するのに用いた用語（「手段」への言及も含む）は、別段指摘がない限り、本考案の説明した実施において機能を行う開示の構造とは構造的に同等ではなくても、説明したコンポーネントの特定の機能を行う（例えば、機能的に同等な）ハードウェア、ソフトウェア又はその組み合わせ等の任意のコンポーネントに対応する。それに加え、いくつかの実施のうちの１つだけに関連して本考案の特定の特徴を開示してきたが、そのような特徴を他の実施の１つ以上の他の特徴と組み合わせることは、所定の又は特定の用途にとって望ましく、有利であり得るため組み合わせてもよい。また、詳細な説明及び／又は請求項では「含む（including、includes）」、「有する（having、has）」、「備える（with）」又はその異形を用いているが、それらの用語は「包含する（comprising）」と同様に包含的であることを意図している。
【００６７】
本考案（最良の形態を含む）を開示するために、また、当業者が本考案を実施できるようにするために（任意の装置又はシステムの製造及び使用並びに包含される任意の方法の実行を含む）、本明細書では実施例を用いている。本考案の範囲は請求項によって定義され、当業者が思い付き得る他の実施例を含み得る。そのような他の実施例が本願の請求項の文言と変わらない構造的要素を有するか又はそのような他の例が請求項の文言と実質的に違わない同等の構造的要素を含む場合、それらの他の実施例は本願の請求項の範囲に含まれる。
【００６８】
本願の出願時に出願人が知っていた本考案を実施するための最良の形態を説明するために係る最良の形態を説明してきた。実施例は例示に過ぎず、本考案を限定することを意図したものではない。本考案は請求項の範囲及び精神により判断される。好ましい実施形態及び代替的実施形態を参照しながら本考案を説明してきた。当業者であれば本明細書を読んで理解した際に変更及び修正に気付くのは明らかである。そのような変更及び修正は、それらが添付の請求項又はその同等物の範囲に含まれる限りその全てが本願に含まれる。
【符号の説明】
【００６９】
１００、５００、６００、７００  溶接装置
１１２、２１０、２２８  筐体
１１４  搭載用アイフック
１１８、１２０  アクセスパネル
１２２  上部パネル
１２４  サイドパネル
１３０  排気口
１３２  燃料ポート
２１２  筐体
２１３  制御コンポーネント
２１４  取っ手
２１６  トーチ
２１８  接地クランプ
２２０  ワークピース
２２２、２２４  ケーブル
５０２  ロックコンポーネント
５０４  電源
５０６  作動装置
５０８  コントローラ
５１４  外部装置
７０２  設定コンポーネント
７０４  診断コンポーネント
【図１】
0003207167.tif 000003
【図２】
0003207167.tif 000004
【図３】
0003207167.tif 000005
【図４Ａ】
0003207167.tif 000006
【図４Ｂ】
0003207167.tif 000007
【図５】
0003207167.tif 000008
【図６】
0003207167.tif 000009
【図７】
0003207167.tif 000010
【図８】
0003207167.tif 000011